(57)【特許請求の範囲】
【請求項１】
外板と、内板と、これら外板及び内板の間に配置される真空断熱パネルとから構成された断熱壁体であって、
前記内板は、突出部材を備え、
この突出部材は、突出部と、この突出部から延出された挟持部とを有し、
前記内板には、孔部が形成され、
前記挟持部が前記内板裏面の孔部周辺部に接着された形態で前記突出部が前記孔部から内板表側に突出することで前記挟持部及び前記内板が一体物をなし、前記挟持部は前記内板と前記真空断熱パネルとで挟持された構成としたことを特徴とする断熱壁体。
【請求項２】
前記内板には複数の孔部が有り、
前記突出部材は、前記各孔部から夫々突出する突出部を複数有し、且つこの複数の突出部が前記挟持部により一体に繋がっていることを特徴とする請求項１に記載の断熱壁体。
【請求項３】
前記突出部材は、前記突出部の周囲に前記内板と係合する係合部を複数有することを請求項１又は２に記載の断熱壁体。
【請求項４】
前記内板には前記孔部と連続するスリットが形成され、該内板におけるスリット縁部は弾性変形可能であることを特徴とする１から３のいずれか一項に記載の断熱壁体。
【請求項５】
第２突出部材をさらに備え、この第２突出部材は、真空断熱パネルに接着され、前記内板に形成された第２孔部から庫内に突出していることを特徴とする請求項１から４のいずれか一項に記載の断熱壁体。
【請求項６】
前記突出部材は、孔を有し、この孔は前記突出部のみに有することを特徴とする請求項１から５のいずれか一項に記載の断熱壁体。
【請求項７】
前記請求項１から６のいずれか一項の断熱壁体を複数使用して構成される断熱箱体であって、前記複数の断熱壁体を連結部により連結して構成したことを特徴とする断熱箱体。
【請求項８】
断熱箱体における左右側壁は、前記断熱壁体から夫々構成され、
前記突出部材は、前後方向に延びた形態をなすと共に、前後方向に延びるスリット部を有し、前記左右側壁を構成する各断熱壁体に設けられ、
両突出部材のスリット部には、断熱箱体内部を横切る部材の両端部が係合されることを特徴とする請求項７に記載の断熱箱体。
【請求項９】
前記突出部材の突出部が鉤状をなすことを特徴とする請求項７に記載の断熱箱体。
【請求項１０】
前記突出部材の突出部はほぼ円筒状をなすことを特徴とする請求項７に記載の断熱箱体。
【発明の詳細な説明】
【技術分野】
【０００１】
本発明の実施形態は、断熱壁体及び断熱箱体に関する。
【背景技術】
【０００２】
冷蔵庫では、内箱と外箱との間に真空断熱パネルを配設した構成の断熱箱体を備えたものがある。
【先行技術文献】
【特許文献】
【０００３】
【特許文献１】特開平４−２６０７８０号公報
【特許文献２】特開平６−１４７７４４号公報
【発明の概要】
【発明が解決しようとする課題】
【０００４】
上述の冷蔵庫では、外箱及び内箱の大きさが大きく、断熱箱体の製作及び組み立てが大がかりで、生産性が悪い問題がある。そこで、断熱箱体を、複数の断熱壁体に分割することが考えられており、分割した断熱壁体を組み合わせて前記断熱箱体に構成する。ここで、断熱壁体を単に真空断熱パネルのみで構成すると、強度的に弱く、これを改善するため外板と内板とで真空断熱パネルを挟む構成の断熱壁体が考えられている。
【０００５】
ところで、断熱箱体内には棚などを支持する支持部や、引き出し式容器を支持するガイドレール取付部といった突出部材を設ける必要がある。このような突出部材を、断熱壁体に設ける場合、突出部材を内板にねじなどの締結部材を用いて取り付けることが一般的であるが、組み立て性が悪く、又ねじなどの締結部材が真空断熱パネルを破ってしまうおそれがある。
【０００６】
そこで、突出部材を備えつつ組み立て性が良い断熱壁体を提供すると共に、この断熱壁体を使用した断熱箱体を提供する。
【課題を解決するための手段】
【０００７】
実施形態の断熱壁体は、外板と、内板と、これら外板及び内板の間に配置される真空断熱パネルとから構成された断熱壁体であって、前記内板は、突出部材を備え、この突出部材は、突出部と、この突出部から延出された挟持部とを有し、前記内板には、孔部が形成され、前記挟持部が前記内板裏面の孔部周辺部に接着された形態で前記突出部が前記孔部から内板表側に突出することで前記挟持部及び前記内板が一体物をなし、前記挟持部は前記内板と前記真空断熱パネルとで挟持された構成としたことを特徴とする。
【図面の簡単な説明】
【０００８】
【図１】第１実施形態による冷蔵庫の斜視図
【図２】断熱箱体を上方から見た斜視図
【図３】断熱箱体を下方から見た斜視図
【図４】断熱箱体の分解斜視図
【図５】左側壁用断熱パネルの分解斜視図
【図６】内板における棚受部材部分の正面図
【図７】図６の切断線Ｘ７−Ｘ７による断面図
【図８】図６の切断線Ｘ８−Ｘ８による断面図
【図９】内板における棚受部材部分の斜視図
【図１０】図１３の切断線Ｘ１０−Ｘ１０による断面図
【図１１】内板における仕切板用取付部材部分の斜視図
【図１２】内板の仕切板用取付部材用の孔部及びスリット部分の正面図
【図１３】内板の仕切板用取付部材部分の正面図
【図１４】内板における第１のレール用取付部材部分の斜視図
【図１５】内板における第１のレール用取付部材部分の正面図
【図１６】図１５の切断線Ｘ１６−Ｘ１６による断面図
【図１７】内板における第１のレール用取付部材及びレール部分の縦断面図
【図１８】内板における仕切壁用取付部材部分の斜視図
【図１９】仕切壁用取付部材に断熱仕切壁を配置した状態の縦断面図
【図２０】第２実施形態による図５相当図
【図２１】第３実施形態による後壁用断熱パネルと左側壁用断熱パネルとの連結構成部分の横断平面図
【図２２】図２１の切断線Ｘ２２−Ｘ２２による縦断面であってねじ及び固定具を省略して示す縦断側面図
【図２３】内板に取付具を取り付けた状態の斜視図
【発明を実施するための形態】
【０００９】
（第１実施形態）
第１実施形態について図１〜図１９を参照して説明する。図１には第１実施形態の冷蔵庫１の外観が示され、図２及び図３には冷蔵庫１のキャビネットを構成する断熱箱体２の外観が示されている。断熱箱体２の内部には、上から順に冷蔵室３、野菜室４が設けられ、この野菜室４の下方に製氷室５と小冷凍室６が左右に並べて設けられ、最下部に主冷凍室７が設けられている。これら冷蔵室３、野菜室４、製氷室５、小冷凍室６、及び主冷凍室７は、それぞれ貯蔵室を形成している。このうち、冷蔵室３及び野菜室４は、庫内温度が例えば１℃〜５℃程度の冷蔵温度に制御される。このように冷蔵室３及び野菜室４は、いずれも冷蔵温度帯の貯蔵室であることから、例えば合成樹脂製の仕切板８（仕切部に相当）によって仕切られている。製氷室５、小冷凍室６、及び主冷凍室７は、庫内温度が例えば−１８℃以下の冷凍温度に制御されるもので、冷凍温度帯の貯蔵室である。冷蔵温度帯の野菜室４と、冷凍温度帯の製氷室５及び小冷凍室６との間は、断熱性を有する断熱仕切壁９（断熱箱体内部を横切る部材に相当）によって上下に仕切られている。
【００１０】
図２及び図３に示すように断熱箱体２の前部において、前記仕切板８の前方に位置させて横方向に延びる前仕切部１０が設けられ、前記断熱仕切壁９の前方に位置させて横方向に延びる前仕切部１１が設けられている。また、断熱箱体２の前部において、製氷室５と小冷凍室６との間に位置させて上下方向に延びる前仕切部１２が設けられ、製氷室５及び小冷凍室６と主冷凍室７との間に位置させて横方向に延びる前仕切部１３が設けられている。
【００１１】
冷蔵室３は、前面が２枚の扉１５，１６によって開閉される。扉１５，１６は、断熱箱体２の左右両端部に設けられたヒンジ部１７，１８を中心に前後方向に回動される観音開き式である。野菜室４は、前面が引き出し式の扉１９によって開閉される。その扉１９の裏側には、図示しない野菜収納容器が設けられている。製氷室５は、前面が引き出し式の扉２０によって開閉される。製氷室５には図示しない製氷装置が設けられ、扉２０の裏側には、図示しない氷収納容器が設けられている。小冷凍室６は、前面が引き出し式の扉２１によって開閉される。その扉２１の裏側には、図示しない収納容器が設けられている。主冷凍室７も、前面が引き出し式の扉２２によって開閉される。その扉２２の裏側には、図示しない収納容器が設けられている。
【００１２】
前記断熱箱体２は、図４に示すように、いずれも断熱壁体に相当する、後壁を形成する後壁用断熱パネル２５と、左側壁を形成する左側壁用断熱パネル２６と、右側壁を形成する右側壁用断熱パネル２７と、天井壁を形成する天井壁用断熱パネル２８と、底壁を形成する底壁用断熱パネル２９とを組み合わせることによって、前面が開口した箱状に構成されている。後壁用断熱パネル２５と左側壁用断熱パネル２６とは、左後部のコーナー部において連結部に相当する固定具２３を用いて連結固定されている。また、後壁用断熱パネル２５と右側壁用断熱パネル２７とは、右後部のコーナー部において前記固定具２３と同様な固定具（図示せず）を用いて連結固定されている。左側壁用断熱パネル２６の前部と右側壁用断熱パネル２７の前部とは、前記前仕切部１０，１１，１３によって連結されている。断熱箱体２は、それら前仕切部１０，１１，１３によって補強されている。
【００１３】
これら断熱パネル２５〜２９の概略構成は同様であるので、左側壁用断熱パネル２６を代表して説明する。図５に示すように、左側壁用断熱パネル２６は、外箱用の金属板製の外板３０と、内箱用の合成樹脂製の例えばシート部材からなる内板３１と、これら外板３０と内板３１との間に挟まれた状態で配置される断熱材としてパネル状の真空断熱パネル３２とから構成されている。
【００１４】
前記内板３１には、図５に示すように、突出部材としての棚受部材４０、仕切板用取付部材４１、第１のレール用取付部材４２、仕切壁用取付部材４３、第２のレール用取付部材４４が取り付けられており、これらを一体に備えた状態で、前記真空断熱パネル３２に接着されるものである。
【００１５】
真空断熱パネル３２は、図７、図１０に示すように、一面を内板３１の裏面に接着剤３３により接着固定すると共に、前記一面とは反対側の他面を外板３０の内面に接着剤３４により接着固定することにより、内板３１と外板３０との間に挟み込まれた状態となっている。
真空断熱パネル３２は、図６に示すように、ガラスウールなどのコア材３５と、ガスバリア性を有する包装材３８とから構成されている。真空断熱パネル３２は、コア材３５を包装材３８内に収容し、この状態で包装材３８内を真空引きすることによってパネル状（板状）に製造される。
【００１６】
なお、左側壁用断熱パネル２６と対向する右側壁用断熱パネル２７の内板３１にも、図示はしないが、左側壁用断熱パネル２６の前記棚受部材４０と、仕切板用取付部材４１と、第１のレール用取付部材４２と、仕切壁用取付部材４３と、第２のレール用取付部材４４と対向するように、棚受部材４０と、仕切板用取付部材４１と、第１のレール用取付部材４２と、仕切壁用取付部材４３と、第２のレール用取付部材４４が設けられている。
【００１７】
以下、左側壁用断熱パネル２６に設けられた前記棚受部材４０と、仕切板用取付部材４１と、第１のレール用取付部材４２と、仕切壁用取付部材４３と、第２のレール用取付部材４４について説明する。
【００１８】
前記棚受部材４０は、図６〜図９に示すように、例えば金属板により形成されたもので、複数例えば上下２つの突出部４０ａ、４０ｂと、挟持部４０ｃとを有して構成されている。上方の突出部４０ａは左右一対の突片部４０ａ１、４０ａ２と、中間の切り起こし辺部４０ａ３とから構成されている。上記突片部４０ａ１、４０ａ２は鉤状をなす。下方の突出部４０ｂもこの突出部４０ａと同様の構成であり、同様に鉤状をなす一対の突片部４０ｂ１、４０ｂ２と、中間の切り起こし辺部４０ｂ３を有する。
【００１９】
又、挟持部４０ｃは前記突出部４０ａ、４０ｂの一端（基端）から上下方向へ延出しており、この挟持部４０ｃにより複数の突出部４０ａ、４０ｂが一体に繋がっている。
そして内板３１には、孔部３１ａ、３１ｂが上下に離れて形成されており、左側壁用断熱パネル２６の組み立て前において、内板３１の裏面（冷蔵庫の庫内の面を表面としたときの裏面）から、前記突出部４０ａ、４０ｂを孔部３１ａ、３１ｂに挿入して内板３１表側へ突出させ、挟持部４０ｃを内板３１裏面の孔部３１ａ、３１ｂ周辺部に接着している。そして、この挟持部４０ｃ及び内板３１の一体物（図５参照）の裏面と真空断熱パネル３２とを接着している。この左側壁用断熱パネル２６の組み立て完成状態では、この挟持部４０ｃは内板３１と真空断熱パネル３２とで挟持されている（図７、図８参照）。
【００２０】
この場合、図示しない棚は上記棚受部材４０の鉤状の突出部４０ａ、４０ｂに載せられるものである。
前記仕切板用取付部材４１は、図２、図３に示すように、冷蔵室３と野菜室４との間を仕切る仕切板８に対応する部位に位置させて、前部と後部に１個ずつ設けられている。この仕切板用取付部材４１について図１０〜図１３を参照して説明する。この仕切板用取付部材４１は、合成樹脂からなり、突出部４１ａと、これの一端から上下に延出された挟持部４１ｂとを有して構成されている。そして、突出部４１ａの一端には、内板３１の板厚とほぼ同じ前後幅の溝部４１ｃが形成されている。
【００２１】
又、内板３１には、孔部３１ｃが形成されており、さらにこの孔部３１ｃの右側に連続する上下方向に長いスリット３１ｄが形成されている。このスリット３１ｄの縁部は、内板３１が比較的撓み易いシート部材からなることで弾性変形可能である。
【００２２】
仕切板用取付部材４１を内板３１に取り付けるについては、左側壁用断熱パネル２６の組み立て前において、内板３１の表側に位置で、スリット３１ｄに対して、仕切板用取付部材４１の上下の挟持部４１ｂを、その左端からを、左方向へ挿入する。このとき、スリット３１ｄの縁部が弾性変形させることで、挟持部４１ｂがスリット３１ｄから内板３１裏側へ挿入できる。この場合、前記仕切板用取付部材４１の前記溝部４１ｃ、４１ｃが孔部３１ｃの上下縁部に嵌合する。又この場合、予め内板３１の裏面に接着剤を塗布しておくことで、挟持部４１ｂを内板３１の仕切板用取付部材用孔部３１ｃ周辺部に接着する。このように仕切板用取付部材４１を内板３１表側からスリット３１ｄに挿入させることで、突出部４１ａが仕切板用取付部材用孔部３１ｃから突出する。又、この場合、突出部４１ａの溝部４１ｃ、４１ｃが仕切板用取付部材用孔部３１ｃと嵌合することで、仕切板用取付部材４１が後方向へ抜けることがない。
【００２３】
そして、この挟持部４１ｂ及び内板３１の一体物の裏面と真空断熱パネル３２とを接着している。この左側壁用断熱パネル２６の組み立て完成状態では、この挟持部４１ｂは内板３１と真空断熱パネル３２とで挟持されている。
【００２４】
前記第１のレール用取付部材４２は、野菜室４に対応する部位に位置させて前部と後部に設けられている。この第１のレール用取付部材４２について図１４〜図１７を参照して説明する。この第１のレール用取付部材４２は、例えば金属板からなり、ほぼ円筒形（椀に近い円筒形）の突出部４２ａと、この突出部４２ａの一端から周囲に延びる挟持部４２ｂとを有する構成である。さらに、挟持部４２ｂの上部中央１箇所に上向きにＬ状をなす係合部４２ｃが形成され、又下部左右２箇所に、庫内に突出する形態の係合部４２ｄが形成されている。なお、突出部４２ａには孔であるねじ孔４２ｅを有する。
【００２５】
そして内板３１には、前記突出部４２ａを挿入し突出させるための孔部３１ｅが形成されていると共に、この孔部３１ｅの上方１箇所に係合孔部３１ｆが形成され、下方２箇所に係合孔部３１ｇが形成されている。
前記第１のレール用取付部材４２を内板３１に取り付けるについては、左側壁用断熱パネル２６の組み立て前において、内板３１の裏面から、前記突出部４２ａを前記孔部３１ｅに挿入して内板３１表側へ突出させ、上方の係合孔部３１ｆに上方の係合部４２ｃを挿入係合させ、下方の係合孔部３１ｇに下方の係合部４２ｄを挿入係合させ、そして、挟持部４２ｂを内板３１の裏面に接着している。左側壁用断熱パネル２６の組み立て完成状態では、この挟持部４２ｂは内板３１と真空断熱パネル３２とで挟持されている。
【００２６】
前記二つの第１のレール用取付部材４２の突出部４２ａのねじ孔４２ｅには、前後に延びるレール４５がねじ止めされている。このレール４５は、野菜室４の扉１９の裏側に取り付けられる支持枠（図示せず）の前後方向の移動を案内する。
前記仕切壁用取付部材４３は、前記断熱仕切壁９が設けられる部位に位置させて、前後方向に延びる形態に設けられている。この仕切壁用取付部材４３について、図１８及び図１９を参照して説明する。この仕切壁用取付部材４３は、例えば金属板から全体として前後方向に延びる長尺状に形成されており、突出部としての突出部４３ａと、この突出部４３ａから下方に延出された挟持部４３ｃとを有し、さらに挟持部４３ｃの下端部に係合部４３ｂとを有して構成されている。
【００２７】
突出部４３ａには、長尺方向に沿う（前後方向に延びる）複数のスリット部４３ｄが形成されている。
又、内板３１には、前記突出部４３ａを内板３１裏側から挿入するためのスリット状の孔部３１ｈと、前記係合部４３ｂを同じく内板３１裏側から挿入するためのスリット状の孔部３１ｉが形成されている。
【００２８】
前記仕切壁用取付部材４３は、その突出部４３ａ及び係合部４３ｂが、左側壁用断熱パネル２６の組み立て前における内板３１の前記孔部３１ｈ、３１ｉに裏側から挿入されて表側に突出され、挟持部４３ｃが内板３１裏面に接着されている。左側壁用断熱パネル２６の組み立て完成状態では、この挟持部４３ｃは内板３１と真空断熱パネル３２とで挟持されている。上記係合部４３ｂと前記孔部３１ｉとの係合により取付強度が向上する。
【００２９】
そして、図１９に示すように前記断熱仕切壁９（断熱箱体内部を横切る部材）の両端部下部の差込部９ａ（片方のみ図示）が、左側壁用断熱パネル２６及び右側壁用断熱パネル２７に夫々取り付けられた仕切壁用取付部材４３のスリット部４３ｄに差し込まれて係合されている。これにより断熱仕切り壁９が断熱箱体２にその内部を横切るように配設されている。
前記第２のレール用取付部材４４は、主冷凍室７に対応する部位に位置させて前部と後部とに設けられている。この第２のレール用取付部材４４は、前記第１のレール用取付部材４２と、同様の構成であって、同様にして内板３１に取り付けられている。
【００３０】
上述したように、この実施形態においては、断熱壁体としての例えば左側壁用断熱パネル２６及び右側壁用断熱パネル２７は、夫々、外板３０と、内板３１と、これら外板及び内板の間に配置される真空断熱パネル３２とから構成されている。また、内板３１には、突出部材として、棚受部材４０、仕切板用取付部材４１、第１のレール用取付部材４２、仕切壁用取付部材４３、第２のレール用取付部材４４を備えている。
【００３１】
前記棚受部材４０は、突出部４０ａ、４０ｂと、この突出部４０ａ、４０ｂの一端から延出した挟持部４０ｃとを有し、又、前記内板３１には、孔部３１ａ、３１ｂが形成され、前記挟持部４０ｃが前記内板３１裏面の孔部３１ａ、３１ｂ周辺部に接着された形態で前記突出部４０ａ、４０ｂが前記孔部３１ａ、３１ｂから内板３１表側に突出し、前記挟持部４０ｃは前記内板３１と前記真空断熱パネル３２とで挟持された構成としている。
【００３２】
この場合、他の突出部材である仕切板用取付部材４１、第１のレール用取付部材４２、仕切壁用取付部材４３、第２のレール用取付部材４４も同様に突出部及び挟持部を有するから、基本的に同様に取り付けられている。
【００３３】
この実施形態によれば、内板３１に棚受部材４０、仕切板用取付部材４１、第１のレール用取付部材４２、仕切壁用取付部材４３、第２のレール用取付部材４４を取り付けた形態で、この内板３１を真空断熱パネル３２に接着できるから、左側壁用断熱パネル２６及び右側壁用断熱パネル２７の組み立て性が良い。又、上記各部材４０〜４４の挟持部を内板と真空断熱パネルで挟持するから、各部材４０〜４１の取付強度が高い。
【００３４】
又、この実施形態においては、棚受部材４０が複数の突出部４０ａ、４０ｂを有し、この突出部４０ａ、４０ｂが挟持部４０ｃにより一体に繋がっている。そして、内板３１には突出部４０ａ、４０ｂを挿入突出させる孔部３１ａ、３１ｂを設けている。
この実施形態によれば、複数の突出部４０ａ、４０ｂを挟持部４０ｃに一体化しているから、棚受部材４０の強度を強化できる。
又、前記棚受部材４０の突出部４０ａ、４０ｂが鉤状をなすから、図示しない棚を載せるだけで支持できる。
【００３５】
又、この実施形態による第１のレール用取付部材４２及び第２のレール用取付部材４４は、突出部４２ａの周囲に内板３１と係合する複数の係合部４２ｃ、４２ｄ、４２ｄを有する。これによれば、挟持部４２ｂ以外に、この係合部４２ｃ、４２ｄ、４２ｄも内板３１との取り付け強度向上に寄与できるから、取付強度をさらに高くできる。
【００３６】
又、この実施形態においては、内板３１に、仕切板用取付部材４１の突出部４１ａを突出するための孔部３１ｃと連続するスリット３１ｄが形成され、該内板３１におけるスリット３１ｄ縁部が弾性変形可能であるから、仕切板用取付部材４１を内板３１に表側から組付可能とでき、組立作業性がさらに向上する。
又、この実施形態による断熱箱体２は、断熱壁体である断熱パネル２５〜２９を使用して構成され、これら複数の断熱パネル２５〜２９を連結部である固定具２３により連結して構成した。これによれば、断熱箱体２を簡単に組み立てることができる。
【００３７】
又、この実施形態による断熱箱体２においては、仕切壁用取付部材４３が、前後方向に延びた形態をなすと共に、前後方向に延びるスリット部４３ｄを有し、前記左右側壁を構成する各左側壁用断熱パネル２６及び右側壁用断熱パネル２７に設けられ、この両仕切壁用取付部材４３のスリット部４３ｄには、断熱箱体２内部を横切る部材である断熱仕切壁９の両端部が係合される構成とした。
【００３８】
これによれば、断熱仕切壁９を両仕切壁用取付部材４３に載せるだけで支持できる。
又、この実施形態による第１のレール用取付部材４２の突出部４２ａをほぼ円筒状に形成したから、該突出部４２ａの強度ひいてはこの第１のレール用取付部材４２の強度が向上する。又、第２のレール用取付部材４４も同様の効果を奏する。これら第１のレール用取付部材４２及び第２のレール用取付部材４４には、引き出し式の扉１９、２２やこれらに設けられた収容容器さらには被貯蔵物の荷重がかかるから、突出部４２ａの強度向上は極めて有効である。
【００３９】
又、この実施形態では、前記第１のレール用取付部材４２、４４は、孔であるねじ孔４２ｅを有し、このねじ孔４２ｅは前記突出部４２ａのみに有する。つまり挟持部４２ｂには孔が無い。又、前記仕切壁用取付部材４３は、突出部４３ａに、孔でもあるスリット部４３ｄを有し、このスリット部４３ｄは突出部４３ａのみに有する。つまり挟持部４３ｃには孔が無い。
これによれば、補強板である挟持部（上述の４２ｂや４３ｃ）は真空断熱パネル３２との接着面に孔などの切り欠きが無いから、応力が挟持部全体に分散されるため、薄いフィルムである包装材３８が破断することがない。
【００４０】
（第２実施形態）
図２０は第２実施形態を示しており、次の点が第１実施形態と異なる。第２突出部材としての棚受部材５０は、前述の棚受部材４０と同じ構成（同一部分に同一添え字を付す）であるが、予め真空断熱パネル３２に接着されている。内板３１には、第２孔部３１ｒ、３１ｓが形成されている。この第２孔部３１ｒ、３１ｓは、前記孔部３１ａ、３１ｂと同じ位置で同じ形状である。そして、この棚受部材５０を一体化した真空断熱パネル３２を内板３１に接着する。この場合、突出部５０ａ、５０ｂを内板３１裏面から第２孔部３１ｒ、３１ｓに挿入させて突出させる。
【００４１】
この第２実施形態によれば、真空断熱パネル３２に接着した棚受部材５０の突出部５０ａ、５０ｂを内板３１の孔部３１ｒ、３１ｓに挿入することで、当該内板３１と真空断熱パネル３２との位置合わせを行なうことができ、断熱壁体である左側壁用断熱パネル２６及び右側壁用断熱パネル２７の組み立て性が良い。
【００４２】
（第３実施形態）
図２１〜図２２は第３実施形態を示しており、図２１は後壁を形成する後壁用断熱パネル２５と、左側壁を形成する左側壁用断熱パネル２６との連結構成（後壁用断熱パネル２５と右側壁用断熱パネル２７の連結構成も基本的に同じである）を横断面で示している。連結部としての固定具６１は前記後壁用断熱パネル２５と、左側壁用断熱パネル２６とを連結している。この場合、この固定具６１は前記固定具２３と同様に上下に長い形状である。この固定具６１は、突出部材として取付具６２により、後壁用断熱パネル２５と、左側壁用断熱パネル２６とに連結されている。この取付具６２は、後壁用断熱パネル２５の内板３１と左側壁用断熱パネル２６の内板３１に予め上下方向に複数取り付けられており、左側壁用断熱パネル２６の取付具６２及び当該取付具６２の内板３１への取付構成について述べる。
【００４３】
この取付具６２は合成樹脂から構成されており、やや縦長な矩形状を突出部６２ａと、これの一端から上下方向に突出する挟持部６２ｂとを有している。さらにこの取付具６２は、他端面から一端部方向へねじ孔部６２ｃが形成されている。
【００４４】
前記内板３１には、上下方向の複数個所（一か所のみ図示）に孔部３１ｕが形成されている。この取付具６２は、左側壁用断熱パネル２６の組み立て前に、その突出部６２ａが内板３１の裏側から孔部３１ｕに挿入されて表側に突出し、そして挟持部６２ｂを内板３１裏面に接着されている。そして、左側壁用断熱パネル２６の組み立て状態では、挟持部６２ｂは真空断熱パネル３２と内板３１とで挟持される。
【００４５】
このようにして左側壁用断熱パネル２６及び後壁用断熱パネル２５に取り付けられた取付具６２のねじ孔部６２ｃに対して固定具６１をねじ６３止めすることにより両パネル２６、２５を連結する。なお、後壁用断熱パネル２５と右側壁用断熱パネル２７における固定具６１、取付具６２及びそれらの連結構造は上述と同じ（左右対称）である。
【００４６】
この第３実施形態においては、内板３１に棚受部材４０、仕切板用取付部材４１、第１のレール用取付部材４２、仕切壁用取付部材４３、第２のレール用取付部材４４の他、取付具６２を取り付けた形態で、この内板３１を真空断熱パネル３２に接着できるから、左側壁用断熱パネル２６及び右側壁用断熱パネル２７、さらには後壁用断熱パネル２５の組み立て性が良い。又、上記取付具６２の挟持部６２ｂを内板３１と真空断熱パネル３２で挟持するから、この取付具６２の取付強度も高い。
【００４７】
なお、断熱箱体は、少なくとも２つ以上の断熱壁体により構成すれば良い。
又、断熱壁体としては、内板と外板との間に真空断熱パネルを配置し、内板と真空断熱パネルの一面とを接着し、真空断熱パネルの他面と外板とを接着する構成としても良いし、又、内板と真空断熱パネルの一面とを接着し、真空断熱パネルの他面と外板との間に発泡ウレタンなどの断熱材を介在させた構成としても良い。
【００４８】
断熱箱体を横切る部材としては、断熱仕切壁９のほか、他の仕切部材や、棚もある。
又、棚受部材４０には、棚以外にも別の部材を取り付けても良い。例えば合成樹脂製の直方体であって突片部４０ａ１、４０ａ２及び切り起こし辺部４０ａ３を係合する孔を有する支持部材を取り付けても良い。その場合、棚は支持部材の上に載置すれば良い。又、この支持部材にねじ孔などを設ければ、庫内の他の部品をねじ止めすることができ、支持部材を補強手段である棚受部材４０で補強できる。
【００４９】
以上のように実施形態の断熱壁体は、外板と、内板と、これら外板及び内板の間に配置される真空断熱パネルとから構成された断熱壁体であって、前記内板は、突出部材を備え、この突出部材は、突出部と、この突出部から延出された挟持部とを有し、前記内板には、孔部が形成され、前記挟持部が前記内板裏面の孔部周辺部に接着された形態で前記突出部が前記孔部から内板表側に突出し、前記挟持部は前記内板と前記真空断熱パネルとで挟持された構成とした。これによれば、組み立て性の向上を図り得る。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５１】
図面中、１は冷蔵庫、２は断熱箱体、３は冷蔵室（貯蔵室）、４は野菜室（貯蔵室）、５は製氷室（貯蔵室）、６は小冷凍室（貯蔵室）、７は主冷凍室（貯蔵室）、８は仕切板（仕切部）、９は断熱仕切壁（断熱箱体内部を横切る部材）、２３は固定具（連結部）、２６は左側壁用断熱パネル（断熱壁体、側壁）、２７は右側壁用断熱パネル（断熱壁体、側壁）、３０は外板、３１は内板、３２は真空断熱パネル、４０は棚受部材（突出部材）、４１は仕切板用取付部材（突出部材）、４２は第１のレール用取付部材（突出部材）、４３は仕切壁用取付部材（突出部材）、４４は第２のレール用取付部材（突出部材）、５０は第２突出部材、６１は固定具（連結部）、６２は取付具（突出部材）を示す。
【図１】
0005812708.tif 000002
【図２】
0005812708.tif 000003
【図３】
0005812708.tif 000004
【図４】
0005812708.tif 000005
【図５】
0005812708.tif 000006
【図６】
0005812708.tif 000007
【図７】
0005812708.tif 000008
【図８】
0005812708.tif 000009
【図９】
0005812708.tif 000010
【図１０】
0005812708.tif 000011
【図１１】
0005812708.tif 000012
【図１２】
0005812708.tif 000013
【図１３】
0005812708.tif 000014
【図１４】
0005812708.tif 000015
【図１５】
0005812708.tif 000016
【図１６】
0005812708.tif 000017
【図１７】
0005812708.tif 000018
【図１８】
0005812708.tif 000019
【図１９】
0005812708.tif 000020
【図２０】
0005812708.tif 000021
【図２１】
0005812708.tif 000022
【図２２】
0005812708.tif 000023
【図２３】
0005812708.tif 000024